(57)【要約】【課題】使用時間の経過に応じた軽快な使用感を得ることができる複数電源対応ワイヤレスイヤホン等を提供する。【解決手段】制御部１３０は、接続端子１６０にコード１７０が接続されていないことを検出した場合には、電源自給無線モードと判断し、内蔵バッテリー１４０からの電源供給により動作させ、接続端子１６０に接続されたコード１７０に電源が供給されていることを検出した場合には、電源外部供給無線モードと判断してコード１７０からの電源供給により動作させ、接続端子１６０に接続されたコード１７０に音響信号が供給されていることを検出した場合には、有線モードと判断してイヤホン部１２０に音響信号を提供する。【選択図】図１
2020057929.tif 000002
【特許請求の範囲】
【請求項１】
内蔵バッテリーと、
所定の通信方式による音響無線信号を受信して音響信号を出力する無線受信部と、
前記音響信号を音響に変換するイヤホン部と、
電源自給無線モード、電源外部供給無線モード、及び有線モードのいずれかを判定する制御部と、
前記無線受信部、前記イヤホン部及び前記制御部を収容し、接続端子を有するハウジングと、を備え、
前記制御部は、
前記接続端子にコードが接続されていないことを検出した場合には、前記電源自給無線モードと判断して前記無線受信部を前記内蔵バッテリーからの電源供給により動作させ、
前記接続端子に接続されたコードに電源が供給されていることを検出した場合には、前記電源外部供給無線モードと判断して前記無線受信部を前記コードからの電源供給により動作させ、
前記接続端子に接続されたコードに音響信号が供給されていることを検出した場合には、前記有線モードと判断して前記イヤホン部に前記コードから供給されている前記音響信号を提供する、
複数電源対応ワイヤレスイヤホン。
【請求項２】
前記コードは、前記イヤホン部に電源を供給する外部バッテリーをさらに備える、
請求項１に記載の複数電源対応ワイヤレスイヤホン。
【請求項３】
前記外部バッテリーは、前記コードに着脱可能に接続される、
請求項２に記載の複数電源対応ワイヤレスイヤホン。
【請求項４】
前記ハウジング及び前記外部バッテリーを装着可能な充電ボックスをさらに備え、該充電ボックスは前記内蔵バッテリー及び前記外部バッテリーを同時にまたは個別に充電可能に構成される、
請求項２または３に記載の複数電源対応ワイヤレスイヤホン。
【請求項５】
コードの接続の有無を判定するステップと、
外部からの電源供給の有無を判定するステップと、
音響信号の有無を判定するステップと、
を有し、
コードが接続されていない場合は、電源自給無線モードと判断して、内蔵バッテリーからの電源供給により動作させ、
外部からの電源供給がある場合は、電源外部供給無線モードと判断して、外部バッテリーからの電源供給により動作させ、
音響信号が供給されている場合は、有線モードと判断して、前記音響信号を提供する、
複数電源対応ワイヤレスイヤホンの制御方法。
【請求項６】
無線信号の受信の有無を判定するステップをさらに有し、
前記外部からの電源供給がある場合において、無線信号の受信がない場合は外部バッテリーから内蔵バッテリーに充電する、
請求項５に記載の複数電源対応ワイヤレスイヤホンの制御方法。
【発明の詳細な説明】
【技術分野】
【０００１】
本発明は、複数電源対応ワイヤレスイヤホンに関する。
【背景技術】
【０００２】
従来、ワイヤレスイヤホンとしてもコード接続式イヤホンとしても使えるものが知られている。
【０００３】
例えば、特許文献１には、モジュラーヘッドセットが第１及び第２の動作モードで動作する第１のユニットを有し、第１の動作モードでは、第１のユニットはスタンドアロン機能性を有し、移動電話機のワイヤレスイヤホンとして機能し、第２のモードでは、第１のユニットは第２のユニットに接続され、第２のユニットはＭＰ３プレーヤに接続されるときに、ステレオオーディオを生成する処理能力を有する技術が提案されている。
【先行技術文献】
【特許文献】
【０００４】
【特許文献１】特開２００５−５０６７８２号公報
【発明の概要】
【発明が解決しようとする課題】
【０００５】
従来のワイヤレスイヤホンはケーブルがないので軽快に使えるが、イヤホン内蔵のバッテリーでは長時間使えないという問題があった。また、ワイヤレス接続ではバッテリーが消耗した場合に使用を諦めざるを得ないという問題があった。
【０００６】
そこで、本発明は、使用時間の経過に応じた軽快な使用感を得ることができる複数電源対応ワイヤレスイヤホン等を提供することを目的とする。
【課題を解決するための手段】
【０００７】
本発明の一態様に係る複数電源対応ワイヤレスイヤホンは、内蔵バッテリーと、所定の通信方式による音響無線信号を受信して音響信号を出力する無線受信部と、音響信号を音響に変換するイヤホン部と、電源自給無線モード、電源外部供給無線モード、及び有線モードのいずれかを判定する制御部と、無線受信部、イヤホン部及び制御部を収容し、接続端子を有するハウジングと、を備え、制御部は、接続端子にコードが接続されていないことを検出した場合には、電源自給無線モードと判断して無線受信部を内蔵バッテリーからの電源供給により動作させ、接続端子に接続されたコードに電源が供給されていることを検出した場合には、電源外部供給無線モードと判断して無線受信部をコードからの電源供給により動作させ、接続端子に接続されたコードに音響信号が供給されていることを検出した場合には、有線モードと判断してイヤホン部にコードから供給されている音響信号を提供する。
【０００８】
この態様によれば、制御部が、電源自給無線モード、電源外部供給無線モード、及び有線モードのいずれかを判定する。制御部が電源自給無線モードと判断した場合は、内蔵バッテリーから電源を自給する。制御部が電源外部供給無線モードと判断した場合は、外部バッテリーから電源を供給する。制御部が有線モードと判断した場合は、コードからイヤホン部に音響信号が提供される。したがって、外部から操作することなく、制御部が３つのモードを判断するので、使用時間の経過に応じた軽快な使用感を得ることができ、完全ワイヤレスイヤホン、有線ワイヤレスイヤホン、有線イヤホンの３通りの利用が可能なマルチウェイ・イヤホンを提供することができる。
【０００９】
上記複数電源対応ワイヤレスイヤホンにおいて、コードは、イヤホン部に電源を供給する外部バッテリーをさらに備えることが好ましい。
【００１０】
外部バッテリーは、コードに着脱可能に接続されることが好ましい。
【００１１】
ハウジング及び外部バッテリーを装着可能な充電ボックスをさらに備え、該充電ボックスは内蔵バッテリー及び外部バッテリーを同時にまたは個別に充電可能に構成されることが好ましい。
【００１２】
本発明の一態様に係る複数電源対応ワイヤレスイヤホンの制御方法は、コードの接続の有無を判定するステップと、外部からの電源供給の有無を判定するステップと、音響信号の有無を判定するステップと、を有し、コードの接続の有無を判定するステップにおいて、コードが接続されていない場合は、電源自給無線モードと判断して、内蔵バッテリーからの電源供給により動作させ、外部からの電源供給の有無を判定するステップにおいて、外部からの電源供給がある場合は、電源外部供給無線モードと判断して、外部バッテリーからの電源供給により動作させ、音響信号の有無を判定するステップにおいて、音響信号が供給されている場合は、有線モードと判断して、前記音響信号を提供する。
【００１３】
上記複数電源対応ワイヤレスイヤホンの制御方法において、無線信号の受信の有無を判定するステップをさらに有し、外部からの電源供給がある場合において、無線信号の受信がない場合は外部バッテリーから内蔵バッテリーに充電することが好ましい。
【発明の効果】
【００１４】
本発明によれば、使用時間の経過に応じた軽快な使用感を得ることができる複数電源対応ワイヤレスイヤホン等を提供することができる。
【図面の簡単な説明】
【００１５】
【図１】本発明に係る複数電源対応ワイヤレスイヤホンの一実施形態の全体構成例を示すブロック図である。
【図２】本実施形態の複数電源対応ワイヤレスイヤホンの電源自給無線モードにおける使用態様を示す模式図である。
【図３Ａ】本実施形態の複数電源対応ワイヤレスイヤホンの電源外部供給無線モードにおける使用態様を示す模式図である。
【図３Ｂ】本実施形態における外部電池の両端面の模式図である。
【図４】本実施形態の複数電源対応ワイヤレスイヤホンの有線モードにおける使用態様を示す模式図である。
【図５】本実施形態の複数電源対応ワイヤレスイヤホンにおける充電ボックスを示す模式図である。
【図６】本実施形態の複数電源対応ワイヤレスイヤホンが充電ボックスに収容され、自動でオフする場合のフローチャートである。
【図７】本実施形態の複数電源対応ワイヤレスイヤホンが充電ボックスから取り出され、自動でオンする場合のフローチャートである。
【図８】本実施形態の複数電源対応ワイヤレスイヤホンの制御方法を説明するためのフローチャートである。
【図９】本実施形態の複数電源対応ワイヤレスイヤホンの制御方法を説明するためのシーケンス図である。
【図１０】他の実施形態に係る複数電源対応ワイヤレスイヤホンを示す模式図である。
【発明を実施するための形態】
【００１６】
添付図面を参照して、本発明の好適な実施形態について説明する。なお、各図において、同一の符号を付したものは同一又は同様の構成を有する。
【００１７】
〔複数電源対応ワイヤレスイヤホンの構成〕
図１から図５を参照して、本発明に係る複数電源対応ワイヤレスイヤホンの一実施形態について説明する。図１は、本発明に係る複数電源対応ワイヤレスイヤホンの一実施形態の全体構成例を示すブロック図である。図１に示すように、本実施形態に係る複数電源対応ワイヤレスイヤホン（以下、単に「ワイヤレスイヤホン」という。）１００は、無線受信部１１０、イヤホン部１２０、制御部１３０、内蔵バッテリー１４０、入力部１５０、接続端子１６０及びハウジング１８０を備えている。
【００１８】
無線受信部１１０は、所定の通信方式による音響無線信号を受信して音響信号を出力する機能を有する。無線受信部１１０は、通信インタフェースであり、例えば、ブルートゥース（登録商標）チップや各種無線通信インタフェースなどを備えて構成される。無線受信部１１０は、通信端末２００及び他のワイヤレスイヤホン１００との間で各種データを授受する。
【００１９】
イヤホン部１２０は、音響信号を音響に変換する機能を有する。イヤホン部１２０は、ドライバユニット、音響回路、スピーカやＬＥＤインジケータ（いずれも図示略）などを含んで構成される。音響回路やドライバユニットは、無線受信部１１０から出力される音響信号に基づき楽音を生成し、スピーカを介して外部に出力する。
【００２０】
制御部１３０は、マイクロコントローラユニット（ＭＣＵ）などを備えて構成され、ワイヤレスイヤホン１００の各部を中枢的に制御する。制御部１３０は、電源自給無線モード、電源外部供給無線モード、及び有線モードのいずれかを判定する機能を有する。
【００２１】
制御部１３０は、接続端子１６０にコード１７０が接続されていないことを検出した場合には、電源自給無線モードと判断して、無線受信部１１０を内蔵バッテリー１４０からの電源供給により動作させる。また、制御部１３０は、接続端子１６０に接続されたコード１７０に電源が供給されていることを検出した場合には、電源外部供給無線モードと判断して、無線受信部１１０をコード１７０からの電源供給により動作させる。さらに、制御部１３０は、接続端子１６０に接続されたコード１７０に音響信号が供給されていることを検出した場合には、有線モードと判断して、イヤホン部１２０にコード１７０から供給されている音響信号を提供する。
【００２２】
内蔵バッテリー１４０は、無線受信部１１０、イヤホン部１２０及び制御部１３０を駆動するための内蔵電源である。上述したように、電源自給無線モードの場合には、内蔵バッテリー１４０からの電源供給により無線受信部１１０を動作させる。制御部１３０は、各種プログラムを実行することにより、内蔵バッテリー１４０の充電を制御する。
【００２３】
入力部１５０は、操作ボタン（図示省略）やマイクロフォン（図示省略）などを備えている。マイクロフォンは、ノイズキャンセル、音声電話や音声録音等の際に利用される。
【００２４】
接続端子１６０は、コード（パワーコード）１７０の接続プラグを接続するための雌端子である。コード１７０は、外部バッテリー４００を接続するための電源供給コード１７０Ａと、通信端末２００を有線接続するための音響信号供給コード１７０Ｂと、の２種類が存在する。２種類のコードを総称して説明するときは、単に１７０と表記する。接続端子１６０は、充電用の電源ポートとしても機能する。充電用の電源ポートが外部電源と接続されることでワイヤレスイヤホン１００の内蔵バッテリー１４０への充電が可能となる。
【００２５】
ハウジング１８０は、無線受信部１１０、イヤホン部１２０、制御部１３０、内蔵バッテリー１４０、入力部１５０及び接続端子１６０を収容する。入力部１５０及び接続端子１６０は、ワイヤレスイヤホン１００の下端部に露出させて設けられている。
【００２６】
＜電源自給無線モード＞
図２を参照して、本実施形態の複数電源対応ワイヤレスイヤホンの電源自給無線モードについて説明する。図２は、本実施形態の複数電源対応ワイヤレスイヤホンの電源自給無線モードにおける使用態様を示す模式図である。なお、図２は模式的に表したものであり、各構成要素の大きさや長さ等の寸法は実際のものと異なっている。また、本願における「複数電源対応ワイヤレスイヤホン」とは、左右分離型の両耳用のワイヤレスイヤホンのほか、片耳用のワイヤレスイヤホンも含む広い概念である。
【００２７】
図２に示すように、ワイヤレスイヤホン１００は、一対のワイヤレスイヤホン（右耳用のワイヤレスイヤホン及び左耳用のワイヤレスイヤホン）１００Ｒ、１００Ｌにより構成されている。以下、左右のワイヤレスイヤホンを特に区別する必要がない場合には、単にワイヤレスイヤホン１００と呼ぶ。
【００２８】
ワイヤレスイヤホン１００は、通信端末２００と無線通信可能である。すなわち、ワイヤレスイヤホン１００及び通信端末２００は、例えば、ブルートゥース（登録商標）機能を備えている。使用に先立ち、ワイヤレスイヤホン１００と通信端末２００とをペアリングすることで、ワイヤレスイヤホン１００と通信端末２００は無線接続される。本実施形態では、右耳用のワイヤレスイヤホン（第１ワイヤレスイヤホン）１００Ｒにのみ、ブルートゥース（登録商標）対応機器（ここでは通信端末２００）との間でペアリングを行うペアリング機能が搭載されている。
【００２９】
右耳用のワイヤレスイヤホン１００Ｒと通信端末２００との間でペアリングが行われると、右耳用のワイヤレスイヤホン１００Ｒがマスターとして機能し、左耳用のワイヤレスイヤホン（第２ワイヤレスイヤホン）１００Ｌがスレーブとして機能する。すなわち、マスターイヤホンとして機能する右耳用のワイヤレスイヤホン１００Ｒが、無線を介して通信端末２００からオーディオデータを受信するとともに、受信したオーディオデータをスレーブイヤホンとして機能する左耳用のワイヤレスイヤホンに送信する。これにより、ユーザは、両耳に装着したワイヤレスイヤホン１００を介して、音響信号に基づくステレオ音声を聞くことができる。
【００３０】
右耳用ワイヤレスイヤホン１００Ｒの充電が切れた場合であっても、左耳用のワイヤレスイヤホン１００Ｌはそのまま電話などと繋がる。左耳用のワイヤレスイヤホン１００Ｌの充電が切れた場合は、右耳用ワイヤレスイヤホン１００Ｒを手動でペアリングする必要がある。右耳用ワイヤレスイヤホン１００Ｒが電源オンの状態だと、通信端末２００などにワイヤレスイヤホン１００用の接続番号が表示され、その接続番号に接続することで電話が繋がる。
【００３１】
なお、本実施例とは逆に、左耳用のワイヤレスイヤホン１００Ｌがマスターとして機能させ、右耳用のワイヤレスイヤホン１００Ｒがスレーブとして機能させてもよい。いずれのワイヤレスイヤホン１００をマスターとして機能させるかは、例えば、ボタン操作等によって適宜選択させてもよい。さらには、右耳用のワイヤレスイヤホン１００Ｒと左耳用の１００Ｌの両方をマスターとして機能させてもよい。
【００３２】
電源自給無線モードでは、接続端子１６０にコード１７０が接続されていない。したがって、制御部１３０は、接続端子１６０にコード１７０が接続されていないことを検出して、電源自給無線モードと判断する。制御部１３０が電源自給無線モードと判断した場合には、内蔵バッテリー１４０からの電源供給により無線受信部１１０を動作させる。
【００３３】
また、ワイヤレスイヤホン１００の上部には、落下防止用のストラップ（図示省略）を取り付けるための取り付け部１０１Ａ、１０１Ｂが設けられている。なお、ワイヤレスイヤホン１００の形状は、任意に設計可能であり、ストラップ用の取り付け部１０１Ａ、１０１Ｂなどを設けるかは任意である。
【００３４】
通信端末２００は、例えば、スマートフォンなどであり、入力される操作指示に従い、音響信号などを、無線を介してワイヤレスイヤホン１００に送信する。通信端末２００としては、スマートフォンのほか、例えば、携帯電話、ノートパソコン、ゲーム機、サウンドシステム、タブレット端末、ウェアラブル端末など、ブルートゥース（登録商標）機能等を備えたあらゆるデバイスに適用可能である。
【００３５】
＜電源外部供給無線モード＞
図３Ａ及び図３Ｂを参照して、本実施形態の複数電源対応ワイヤレスイヤホンの電源外部供給無線モードについて説明する。図３Ａは、本実施形態の複数電源対応ワイヤレスイヤホンの電源外部供給無線モードにおける使用態様を示す模式図である。図３Ｂは、本実施形態における外部電池の両端面の模式図である。なお、図３Ａ及び図３Ｂは模式的に表したものであり、各構成要素の大きさや長さ等の寸法は実際のものと異なっている。
【００３６】
図３Ａに示すように、電源外部供給無線モードでは、ワイヤレスイヤホン１００の接続端子１６０にコード１７０Ａが接続される（図１参照）。コード１７０ＡＲと１７０ＡＬとの間には、外部バッテリー４００が着脱自在に接続されている。外部バッテリー４００が充電された状態でコード１７０Ａに装着され、当該コード１７０Ａの接続プラグ１７１がワイヤレスイヤホン１００Ｒ、１００Ｌの接続端子１６０に接続されると、制御部１３０は、コード１７０Ａに電源が供給されていることを検出し、電源外部供給無線モードと判断する。制御部１３０が電源外部供給無線モードと判断した場合は、コード１７０Ａからの電源供給により、無線受信部１１０を動作させる。
【００３７】
図３Ｂに示すように、外部バッテリー４００の長手方向の一方の面には、当該外部バッテリー４００の充電接点４０１が設けられている。外部バッテリー４００の充電接点４０１は、後述する充電ボックス３００の充電部３４０の充電接点３４１と接触することにより、外部バッテリー４００を充電することができる（図５参照）。また、外部バッテリー４００の長手方向の他方の面には、当該外部バッテリー４００の取り付け凹部４０２が設けられている。外部バッテリー４００の取り付け凹部４０２は、後述する充電ボックス３００の充電部３４０の装着ピン３４２と係合することにより、外部バッテリー４００を充電部３４０に装着することができる（図５参照）。なお、外部バッテリー４００の充電接点４０１及び取り付け凹部４０２、充電ボックス３００の充電接点３４１及び装着ピン３４２について、設置位置や設置個数は任意に設定・変更可能である。
【００３８】
無線受信部１１０を動作させない場合、すなわち、ワイヤレスイヤホン１００で音声出力しない場合には、コード１７０Ａを介して、外部バッテリー４００から内蔵バッテリー１４０に充電することも可能である。
【００３９】
＜有線モード＞
図４を参照して、本実施形態の複数電源対応ワイヤレスイヤホンの有線モードについて説明する。図４は、本実施形態の複数電源対応ワイヤレスイヤホンの有線モードにおける使用態様を示す模式図である。なお、図４は模式的に表したものであり、各構成要素の大きさや長さ等の寸法は実際のものと異なっている。
【００４０】
図４に示すように、有線モードでは、ワイヤレスイヤホン１００の接続端子１６０に、通信端末２００に接続されたコード１７０Ｂが接続される（図１参照）。コード１７０Ｂの接続プラグ１７２が通信端末２００に接続され、当該コード１７０Ｂの接続プラグ１７１がワイヤレスイヤホン１００Ｒ、１００Ｌの接続端子１６０に接続されると、制御部１３０は、コード１７０Ｂに音響信号が供給されていることを検出し、有線モードと判断する。制御部１３０が有線モードと判断した場合は、コード１７０Ｂから供給されている音響信号をイヤホン部１２０に提供する。この使用態様は、通常の有線イヤホンを接続して、通信端末２００から提供された音響信号をイヤホン部１２０で音響に変換出力する場合と同様である。
【００４１】
接続端子１６０にコード１７０Ｂの接続プラグ１７１が接続されると、制御部１３０のＭＣＵのコントロールＩＣが感知して、ワイヤレスイヤホン１００のブルートゥース（登録商標）をオフ（オフ状態）にする。再度ワイヤレスにするためには、ワイヤレスイヤホン１００の電源をオン（オン状態）にする必要がある。有線モードにおいて、ブルートゥース（登録商標）を完全に切断することでノイズなどが入らないようにしている。
【００４２】
＜充電ボックス＞
次に、図５を参照して、本実施形態の複数電源対応ワイヤレスイヤホンにおける充電ボックスについて説明する。図５は、本実施形態の複数電源対応ワイヤレスイヤホンにおける充電ボックスを示す模式図である。なお、図５は模式的に表したものであり、各構成要素の大きさや長さ等の寸法は実際のものと異なっている。
【００４３】
図５に示すように、充電ボックス３００は、一対のワイヤレスイヤホン１００をキャビティ３３０に収容することが可能となっている。また、充電ボックス３００には、ワイヤレスイヤホン１００の接続端子と充電ボックス３００を電気的に接続する電源ピン（図示省略）と、二次電池（図示省略）と、二次電池を充電するためのＵＳＢポート（図示省略）とを含む充電ユニット３１０が内蔵されている。
【００４４】
ワイヤレスイヤホン１００がキャビティ３３０に収容されると、ワイヤレスイヤホン１００の接続端子１６０と充電ボックス３００の電源ピンとが接触し、電気的に接続されることで、ワイヤレスイヤホン１００の自動充電が開始される。
【００４５】
図５の例では、充電ボックス３００の蓋３２０が開かれており、左耳用のワイヤレスイヤホン１００Ｌが充電ボックス３００のキャビティ３３０に収容された状態を示している。本実施形態では、ワイヤレスイヤホン１００を充電ボックス３００に収容すると、ワイヤレスイヤホン１００の電源は自動でオフ（オフ状態）となり、自動充電が開始される。具体的には、ワイヤレスイヤホンの接続端子１６０と充電ボックスの電源ピンが接続した場合、充電ボックス３００からの電圧（例えば、５Ｖ）をワイヤレスイヤホン１００のＭＣＵのＩＣチップが感知する。すなわち、ＩＣチップが電圧５Ｖを感知するとワイヤレスイヤホン１００の電源がオフになり、感知できないと電源オンになる仕組みである。
【００４６】
したがって、ワイヤレスイヤホン１００を充電ボックス３００から取り出すと、ワイヤレスイヤホン１００は自動でオン（オン状態）となり、右耳用のワイヤレスイヤホン１００Ｒと左耳用のワイヤレスイヤホン１００Ｌとがペアリングする。なお、ワイヤレスイヤホン１００は、出荷時に右耳用のワイヤレスイヤホン１００Ｒと左耳用のワイヤレスイヤホン１００Ｌとがペアリングされた状態となっており、充電ボックス３００からワイヤレスイヤホン１００を取り出すと二つのワイヤレスイヤホン１００Ｒ，１００Ｌが接続された状態になる。二つのワイヤレスイヤホン１００Ｒ，１００Ｌがペアリング状態なので、通信端末２００で検索すると一つの型番が表示される。
【００４７】
また、充電ボックス３００の前面には、外部バッテリー４００の充電部３４０が設けられている。充電部３４０の下部には充電接点３４１が設けられており、上部には外部バッテリーを装着固定するための進退可能な装着ピン３４２が設けられている。充電ボックス３００の充電部３４０に外部バッテリー４００を装着すると、外部バッテリー４００の自動充電が開始される。
【００４８】
次に、図６及び図７を参照して、ワイヤレスホン１００が充電ボックス３００に収容されて自動でオフする場合、充電ボックス３００から取り出され自動でオンする場合について説明する。図６は、本実施形態の複数電源対応ワイヤレスイヤホンが充電ボックスに収容され、自動でオフする場合のフローチャートである。図７は、本実施形態の複数電源対応ワイヤレスイヤホンが充電ボックスから取り出され、自動でオンする場合のフローチャートである。なお、以下では、右耳用のワイヤレスイヤホン１００を例に説明する。
【００４９】
＜自動でオフする場合＞
制御部１３０は、自身がオン状態、すなわちアクティブ状態にあることを確認すると（ステップＳＡ１）、接続端子（電源ポート）１６０の入力電圧（制御部１３０のトリガ端子の入力電圧）が、設定された閾値電圧（例えば、５Ｖ）を上回っているか否かを判断する（ステップＳＡ２）。
【００５０】
制御部１３０は、接続端子（電源ポート）１６０の入力電圧が閾値電圧を上回っていないと判断すると（ステップＳＡ２；ＮＯ）、ステップＳＡ１に戻り、ステップＳＡ１、ステップＳＡ２の処理を繰り返し実行する。
【００５１】
制御部１３０は、ステップＳＡ１、ステップＳＡ２の処理を繰り返し実行している間に、接続端子（電源ポート）１６０の入力電圧が閾値電圧を上回ったことを検知すると（ステップＳＡ２；ＹＥＳ）、自身の状態をオン状態からオフ状態（すなわち、アクティブ状態からスリープ状態）へと切り替え（ステップＳＡ３）、処理を終了する。制御部１３０がスリープ状態へと切り替わることで、ワイヤレスイヤホン１００は使用不可となる。制御部１３０は、このようにして右耳用（マスター側）のワイヤレスイヤホン１００Ｒの電源を切断すると（すなわち、オンからオフへ切り替えると）、左耳用（スレーブ側）のワイヤレスイヤホン１００Ｌの電源を自動でオフする。一方、制御部１３０は、ワイヤレスイヤホン１００の内蔵バッテリー１４０の自動充電を開始する。
【００５２】
＜自動でオンする場合＞
制御部１３０は、自身がオフ状態、すなわちスリープ状態にあることを確認すると（ステップＳＢ１）、接続端子（電源ポート）１６０の入力電圧（制御部１３０のトリガ端子の入力電圧）が、設定された閾値電圧（例えば、５Ｖ）を下回っているか否かを判断する（ステップＳＢ２）。
【００５３】
制御部１３０は、接続端子（電源ポート）１６０の入力電圧が閾値電圧を下回っていないと判断すると（ステップＳＢ２；ＮＯ）、ステップＳＢ１に戻り、ステップＳＢ１、ステップＳＢ２の処理を繰り返し実行する。
【００５４】
制御部１３０は、ステップＳＢ１、ステップＳＢ２の処理を繰り返し実行している間に、接続端子（電源ポート）１６０の入力電圧が閾値電圧を下回ったことを検知すると（ステップＳＢ２；ＹＥＳ）、自身の状態をオフ状態からオン状態（すなわち、スリープ状態からアクティブ状態）へと切り替え（ステップＳＢ３）、処理を終了する。制御部１３０がアクティブ状態へと切り替わることで、ワイヤレスイヤホン１００は使用可能となる。
【００５５】
＜操作ボタンの操作方法＞
単独で通信端末２００等と繋ぐ場合、ワイヤレスイヤホン１００を操作ボタン（図示省略）で所定の操作を行う必要がある。一例として、例えば、電源オフの状態で右耳用のワイヤレスイヤホン１００Ｒもしくは左耳用のワイヤレスイヤホン１００Ｌの操作ボタンを２０秒長押しする。右耳用のワイヤレスイヤホン１００Ｒもしくは左耳用のワイヤレスイヤホン１００Ｌの電源がオンの状態であると、通信端末２００から接続番号を検索することができる。
【００５６】
右耳用のワイヤレスイヤホン１００Ｒ及び左耳用のワイヤレスイヤホン１００Ｌの操作は、例えば次のように行う。
・右耳用のワイヤレスイヤホン１００Ｒ：
操作ボタン一回押し：音楽再生/一時停止    電話受ける/電話切る
操作ボタン二回押し：音量を下げる
操作ボタン長押し（３秒）：最後かけた電話に繋がる
操作ボタン長押し３秒以上：電源オフ
・左耳用のワイヤレスイヤホン１００Ｌ：
操作ボタン一回押し：音楽再生/一時停止    電話受ける/電話切る
操作ボタン二回押し：音量を下げる
操作ボタン長押し（３秒）：音声応答システムに繋ぐ
ボタン長押し３秒以上：電源オフ
【００５７】
〔複数電源対応ワイヤレスイヤホンの制御方法〕
次に、図１から図４、図８及び図９を参照して、複数電源対応ワイヤレスイヤホン１００の制御方法について説明する。図８は、複数電源対応ワイヤレスイヤホンの制御方法を説明のためのフローチャートである。図９は、複数電源対応ワイヤレスイヤホンの制御方法を説明のためのシーケンス図である。
【００５８】
複数電源対応ワイヤレスイヤホンの制御方法は、コードの接続の有無を判定するステップと、外部からの電源供給の有無を判定するステップと、音響信号の有無を判定するステップと、を有する。コードの接続の有無を判定するステップにおいて、コードが接続されていない場合は、電源自給無線モードと判断して、内蔵バッテリーからの電源供給により動作させる。外部からの電源供給の有無を判定するステップにおいて、外部からの電源供給がある場合は、電源外部供給無線モードと判断して、外部バッテリーからの電源供給により動作させる。音響信号の有無を判定するステップにおいて、音響信号が供給されている場合は、有線モードと判断して、前記音響信号を提供する。以下、複数電源対応ワイヤレスイヤホンの制御方法を具体的に説明する。
【００５９】
図１、図２、図８及び図９に示すように、制御部１３０は、接続端子１６０にコード１７０が接続されているか否かを判定する（ステップＳ１）。接続端子１６０へのコード接続の有無は、接続端子１６０に通電があるか否かにより判断する。接続端子１６０にコード１７０が接続されていない場合（ステップＳ１；ＮＯ）、制御部１３０は、電源自給無線モードであると判断する（ステップＳ２）。制御部１３０が電源自給無線モードであると判断した場合は、内蔵バッテリー１４０から無線受信部１１０へ電源を供給する（ステップＳ３）。内蔵バッテリー１４０の電源は、無線受信部１１０のみならず、イヤホン部１２０及び制御部１３０にも供給される。
【００６０】
図１、図３、図８及び図９に示すように、接続端子１６０にコード１７０が接続されている場合（ステップＳ１；ＹＥＳ）、制御部１３０は、外部からの電源供給の有無を判定する（ステップＳ４）。外部から電源が供給されていると判断した場合（ステップＳ４；ＹＥＳ）、制御部１３０は、電源外部供給無線モードであると判断する（ステップＳ５）。電源外部供給無線モードであると判断した場合は、制御部１３０は、無線受信部１１０が無線信号を受信しているか否かを判定する（ステップＳ６）。
【００６１】
無線受信部１１０が無線信号を受信している場合（ステップＳ６；ＹＥＳ）は、外部バッテリー４００から無線受信部１１０へ電源を供給する（ステップＳ７）。外部バッテリー４００の電源は、無線受信部１１０のみならず、イヤホン部１２０及び制御部１３０にも供給される。また、無線受信部１１０が無線信号を受信していない場合（ステップＳ６；ＮＯ）は、制御部１３０は、内蔵バッテリー１４０に充電をする（ステップＳ７）。
【００６２】
図１、図４、図８及び図９に示すように、ステップＳ４において、外部から電源が供給されていないと判断した場合（ステップＳ４；ＮＯ）、制御部１３０は、音響信号の提供の有無を判定する（ステップＳ９）。音響信号が提供されている場合（ステップＳ９；ＹＥＳ）は、制御部１３０は、有線モードであると判断する（ステップＳ１０）。有線モードであると判断した場合は、通信端末２００からイヤホン部１２０へ音響信号を提供する。イヤホン部１２０は、音響信号を音響に変換する。音響信号が提供されていない場合（ステップＳ９；ＮＯ）は、ステップＳ９の処理を繰り返し実行する。
【００６３】
以上説明したように、本実施形態に係る複数電源対応ワイヤレスイヤホン１００及びその制御方法は、制御部１３０が、電源自給無線モード、電源外部供給無線モード、及び有線モードのいずれかを判定する。制御部１３０が電源自給無線モードと判断した場合は、内蔵バッテリー１４０から電源を自給する。制御部１３０が電源外部供給無線モードと判断した場合は、外部バッテリー４００から電源を供給する。制御部１３０が有線モードと判断した場合は、通信端末２００からコードを介してイヤホン部１２０に音響信号が提供される。したがって、本実施形態に係る複数電源対応ワイヤレスイヤホン１００及びその制御方法によれば、外部から操作することなく、制御部１３０が３つのモードを判断するので、使用時間の経過に応じた軽快な使用感を得ることができ、完全ワイヤレスイヤホン、有線ワイヤレスイヤホン、有線イヤホンの３通りの利用が可能なマルチウェイ・イヤホンを提供することができる。
【００６４】
また、本実施形態に係る複数電源対応ワイヤレスイヤホン１００によれば、コード１７０Ａが外部バッテリー４００を備えているので、イヤホン部１２０、制御部１３０及び入力部１５０に外部から電源を供給することができる。また、外部バッテリー４００から、コード１７０Ａを介して内蔵バッテリー１４０に充電することができる。
【００６５】
さらに、外部バッテリー４００は、コード１７０Ａに着脱可能に接続されているので、コード１７０Ａから取り外して単独で充電することができる。
【００６６】
そして、本実施形態に係る複数電源対応ワイヤレスイヤホン１００は、ハウジング１８０及外部バッテリー４００を装着可能な充電ボックス３００をさらに備える。したがって、本実施形態に係る複数電源対応ワイヤレスイヤホン１００によれば、該充電ボックス３００は内蔵バッテリー１４０及び外部バッテリー４００が同時にまたは個別に充電可能である。
【００６７】
また、本実施形態に係る複数電源対応ワイヤレスイヤホン１００によれば、ワイヤレスイヤホン１００を充電ボックス３００に収容する、あるいは充電ボックス３００からワイヤレスイヤホン１００を取り出すといった操作に連動して、ワイヤレスイヤホン１００の電源を自動でオフ（収容する場合）またはオン（取り出す場合）される。このため、ワイヤレスイヤホンの電源オン、オフのために所定の操作（例えば、ボタンの押下操作など）が必要なワイヤレスイヤホンに比して、優れた操作性と機能性を実現することができる。
【００６８】
また、ワイヤレスイヤホン１００は、操作ボタンの押下回数や押下時間とともに、当該時点でのワイヤレスイヤホン１００の動作状態、ワイヤレスイヤホン１００と通信端末２００や音声対応システムとの接続状況などに応じて、選択される機能が切り替わるように構成されている。このため、操作ボタンに割り当てられた機能が固定的なもの（例えば、２回押した場合には、常に音量を下げるなど）に比べて格段に操作性を向上させることが可能となる。
【００６９】
〔その他の実施形態〕
本発明は、上述した本実施形態及び変形例に限定されるものではなく、本発明の要旨を逸脱しない範囲内において、他の様々な形で実施することができる。例えば、上述した各処理ステップは処理内容に矛盾を生じない範囲で任意に順番を変更し、または並列に実行することができる。
【００７０】
図１０は、他の実施形態に係る複数電源対応ワイヤレスイヤホンを示す模式図である。図８に示すように、他の実施形態に係る複数電源対応ワイヤレスイヤホン１００’は、通信端末２００等を接続するためのコード１７０Ｂと、外部バッテリー４００を接続するためのコード１７０Ｂが共通化されている。すなわち、コード１７０Ｂの一対の接続プラグ１７１を一対のワイヤレスイヤホン１００Ｒ，１００Ｌに接続し、接続プラグ１７２を外部バッテリー４００に接続している。
【００７１】
他の実施形態に係る複数電源対応ワイヤレスイヤホン１００’は、基本的に上記の実施形態と同様の作用効果を奏する。特に、他の実施形態に係る複数電源対応ワイヤレスイヤホン１００’によれば、通信端末２００等を接続するためのコード１７０Ｂを使用して、外部バッテリー４００をも接続することができるという有利な効果を発揮する。
【００７２】
また、本明細書において、「部」とは、単に物理的構成を意味するものではなく、その「ユニット」や「部」が実行する処理をソフトウェアによって実現する場合も含む。また、１つの「部」が実行する処理を２つ以上の物理的構成や装置により実現されても、２つ以上の「部」が実行する処理を１つの物理的手段や装置により実現されてもよい。
【符号の説明】
【００７３】
１００，１００’，１００Ｌ，１００Ｒ…ワイヤレスイヤホン、１１０…無線受信部、１２０…イヤホン部、１３０…制御部、１４０…内蔵バッテリー、１６０…接続端子、１７０，１７０Ａ，１７０Ｂ…コード、１８０…ハウジング、２００…通信端末、３００…充電ボックス、４００…外部バッテリー。
【図１】
2020057929.tif 000003
【図２】
2020057929.tif 000004
【図３Ａ】
2020057929.tif 000005
【図３Ｂ】
2020057929.tif 000006
【図４】
2020057929.tif 000007
【図５】
2020057929.tif 000008
【図６】
2020057929.tif 000009
【図７】
2020057929.tif 000010
【図８】
2020057929.tif 000011
【図９】
2020057929.tif 000012
【図１０】
2020057929.tif 000013